(57)【要約】【課題】１台で折曲角度の異なる複数種類の廻り隅瓦素地に対応可能なパレットを提供する。【解決手段】台盤１と、該台盤１の上面に設置された廻り隅瓦素地Ｗの載置部２とを有し、該載置部２は前記台盤１の上面に並設された３個以上の支持体３、3a…と、各支持体３、3a…の上面の両側部位に着脱可能に対称配置された楔形の一対の角度調整材４、4aとを有し、支持体３、3a…は全て同じ高さとし、取付状態における角度調整材４、4aの上面を内端側より外端側へ下方傾斜させて、瓦素地Ｗを上面を上にして平伏載置可能にし、角度調整材４、4aを交換することで、折曲角度の異なる瓦素地Ｗに対応させることが可能になる。【選択図】図１
2014125373.tif 000002
【特許請求の範囲】
【請求項１】
台盤と、該台盤の上面に設置された廻り隅瓦素地の載置部とを有し、該載置部は前記台盤の上面に並設された３個以上の支持体と、各支持体の上面の両側部位に着脱可能に対称配置された楔形の一対の角度調整材とを有し、前記支持体は全て同じ高さとし、取付状態における前記角度調整材の上面を内端側より外端側へ下方傾斜させたことを特徴とする廻り隅瓦素地乾燥用パレット。
【請求項２】
前記各支持体は、中央で屈曲された帯板状の受承部材と、該受承部材の両端部より下方は連続形成された帯板状の一対の側方部材とを有することを特徴とする請求項１記載の廻り隅瓦素地乾燥用パレット。
【発明の詳細な説明】
【技術分野】
【０００１】
本発明は、屋根勾配により形状が異なるモジュール瓦における複数種類の廻り隅瓦素地に対応可能な乾燥用パレットに関する。
【背景技術】
【０００２】
従来、きき幅寸法をＭ１、きき足寸法をＭ２、葺設状態の瓦の傾斜角度をθとした場合、Ｍ１＝Ｍ２・ｃｏｓθとなる所謂「モジュール瓦」である桟瓦と、該桟瓦の対角線を境にして両側の屋根勾配に沿うように折曲した形状の廻り隅瓦とを有することで、屋根勾配に応じて予め工場で製作する、所謂プレカット工法により、葺き下ろし部分、隅棟部分を専門の職人でなくとも簡単に葺くことが可能で、而も雨漏りし難く、美麗に葺設可能な瓦が見受けられる（例えば、特許文献１参照）。
この工法で使用される瓦は、同種類の瓦であっても屋根勾配により形状が異なり、例えば廻り隅瓦では大きさも然ることながら、屋根勾配が大きくなるに従い折曲角度が小さくなる。
【０００３】
又、瓦素地乾燥用パレットとしては、桟瓦や、唐草瓦、大袖瓦、小袖瓦、一文字瓦などの役瓦は、表面が同一形状であることから、支承面を、焼成後の瓦を屋根に葺く際に表となる面に接合するように形成することによって、桟瓦と役瓦を同じパレットで乾燥することを可能にして種類及び数量を減らし、且つ交換頻度が減少して作業効率が向上させたものが見受けられる（例えば、特許文献２参照）。
【０００４】
更に、互いに平行な複数本の支持棒に支承面が瓦素地の形状にほぼ一致した形状の受け具を互いに平行にして複数本差し渡し、前記受け具の少なくとも１個が前記支持棒上で移動可能になっていることにより、瓦素地の乾燥による収縮により受け具が追従して移動することで、瓦素地は乾燥の前後にわたって受け具の支承面に常に密着しているために変形せず、而も受け具を移動させることによって、１個のパレットで形状の異なる複数種類の瓦素地に対応することができる瓦素地乾燥用パレットが見受けられる（例えば、特許文献３参照）。
【先行技術文献】
【特許文献】
【０００５】
【特許文献１】特許第３３８８９１７号公報
【特許文献２】特開平８−１２４１１号公報
【特許文献３】特開平８−６１８５７号公報
【発明の概要】
【発明が解決しようとする課題】
【０００６】
しかし、上記特許文献２、３の乾燥用パレットに、特許文献１における廻り隅瓦の素地を載置した場合、例え乾燥用パレット側の支承面が素地の裏面に接合させたとしても、屋根勾配の異なる廻り隅瓦素地では折曲角度が異なって、例えば図６における瓦素地Ｗの勾配による形状の相違からも明らかな様に、自ずと支承面の角度も異なってしまうため、上記特許文献２、３の乾燥用パレットのどちらでも対応出来ないなど、解決せねばならない課題があった。
【課題を解決するための手段】
【０００７】
本発明は、上記従来技術に基づく、瓦素地と接する面が同じでは勾配による形状の異なる廻り隅瓦素地には対応出来ない課題に鑑み、台盤と、該台盤の上面に設置された廻り隅瓦素地の載置部とを有し、該載置部は前記台盤の上面に並設された３個以上の支持体と、各支持体の上面の両側部位に着脱可能に対称配置された楔形の一対の角度調整材とを有し、前記支持体は全て同じ高さとし、取付状態における前記角度調整材の上面を内端側より外端側へ下方傾斜させていることによって、瓦素地を上面を上にして平伏載置可能で、角度調整材を交換することで、折曲角度の異なる瓦素地に対応させることを可能にして、上記課題を解決する。
【発明の効果】
【０００８】
要するに本発明は、台盤と、該台盤の上面に設置された廻り隅瓦素地の載置部とを有し、該載置部は前記台盤の上面に並設された３個以上の支持体と、各支持体の上面の両側部位に着脱可能に対称配置された楔形の一対の角度調整材とを有し、前記支持体は全て同じ高さとし、取付状態における前記角度調整材の上面を内端側より外端側へ下方傾斜させているので、屋根勾配に応じて複数組の角度調整材を準備しておけば、対象となる瓦素地に対応するものを選択して支持体に取り付けることが出来るため、１台のパレットで複数種類の廻り隅瓦素地に対応させることが出来、又支持体ごとでなく角度調整材だけを交換すれば足りるため、交換作業を簡単に行うことが出来る。
而も、前記各支持体は、中央で屈曲された帯板状の受承部材と、該受承部材の両端部より下方は連続形成された帯板状の一対の側方部材とを有しているので、かかる受承部材の上に取り付けられる角度調整材の先端角度をなるべく小さく抑えて全体的に薄くすることが出来るため、取付状態における安定性の向上を図ることが出来、必要であれば角度調整材を取り付けずに廻り隅瓦素地を載置することが出来るため、更に対応範囲を広げることが出来る等その実用的効果甚だ大である。
【図面の簡単な説明】
【０００９】
【図１】本発明に係る廻り隅瓦素地乾燥用パレットの実施例１の斜視図である。
【図２】図１の隅瓦素地乾燥用パレットの平面図である。
【図３（ａ）】図２のＡ−Ａ断面図である（３．５寸勾配用）。
【図３（ｂ）】図２のＡ−Ａ断面図である（４．５寸勾配用）。
【図３（ｃ）】図２のＡ−Ａ断面図である（５．５寸勾配用）。
【図４】本発明に係る廻り隅瓦素地乾燥用パレットの実施例２の平面図である。
【図５】本発明に係る廻り隅瓦素地乾燥用パレットの実施例３の平面図である。
【図６】勾配による廻り隅瓦の形状の違いの説明図である。
【発明を実施するための形態】
【００１０】
本発明に係る廻り隅瓦素地乾燥用パレットは、基本的に、上下方向に通気可能な台盤１と、該台盤１の上面に設置された廻り隅瓦素地Ｗの載置部２（、2a…）とを有し、該載置部２（、2a…）は、台盤１の上面に並設された３個以上の門形状の支持体３、3a…と、各支持体３、3a…の上面の両側部位に着脱可能に対称配置された楔形の一対の角度調整材４、4aとを有しており、支持体３、3a…は全て同じ高さで、取付状態における角度調整材４、4aの上面は内端側より外端側へ下方傾斜している。
以下、具体的に説明する。
【実施例１】
【００１１】
本発明に係る廻り隅瓦素地乾燥用パレットの実施例１は、図１〜３に示す様に、台盤１の上面に１組の載置部２を設置した１枚用のものとする。
【００１２】
台盤１は、平面視正方形状に形成され、等間隔に並設された３本の角管５、5a、5bと、該角管５、5a、4bの連結板６、6aとを有し、該連結板６、6aは角管５、5a、5bの両端部に固定され、角管５、5a、5b間に形成された隙間７、7aにより台盤１を通気可能にしている。
【００１３】
支持体３、3a…は３個とし、台盤１の上面の対角線方向に等間隔に並設し、全ての同じ高さで、夫々に中央で同じ角度に屈曲された帯板状の受承部材８と、該受承部材８の両端部より下方は連続形成された、台盤１の上面に対し直角な帯板状の一対の側方部材９、9aとを有している。
【００１４】
尚、支持体３、3a…は載置状態における瓦素地Ｗに完全に隠れ、且つ瓦素地Ｗにおける屈曲部位を中心に最大幅部位を中央の支持体3aで、その前後の最大幅部より狭い部位を中央の支持体3aの前後の支持体３、3bで下方支持することから、中央の支持体3aの受承部材８は支持体３、3bの受承部材８より短く、それに伴い中央の支持体3aの側方部材９、9aは支持体３、3bの側方部材９、9aより短くなるため、全て同じ高さで、受承部材８の屈曲角度も全て同じにし、且つ角度調整材４、4aが瓦素地Ｗの下面の上部から下部に至る範囲で接面させることが可能に成る。
【００１５】
そして、支持体３の側方部材９、9aを角管５と角管5aに、支持体3aの側方部材９、9aを角管５と角管5bに、支持体3bの側方部材９、9aを角管5aと角管5bに夫々固設している。
【００１６】
角度調整材４、4aは、受承部材８における両傾斜部位の上面に取り付けられ、且つ該両傾斜部位より若干短く形成され、これら角度調整材４、4aは、屋根勾配に応じて準備された複数組の中から瓦素地Ｗに対応するものを選択したもので、取付け状態の全ての角度調整材４、4aの上面が瓦素地Ｗの下面に接面可能に形成されている。
即ち、角度調整材４、4aは、先端角度が同じものが１組となり、その角度が各組毎に異なっている。
【実施例２】
【００１７】
本発明に係る廻り隅瓦素地乾燥用パレットの実施例２は、図４に示す様に、台盤１の上面に４組の載置部２、2a、2b、2cを設置した４枚用のものとし、台盤１は、実施例１と同様に、３本の角管５、5a、5b、連結板６、6a及び隙間７、7aを有しているが、角管５、5a、5bを長く平面視長方形状に形成されており、又各載置部２、2a、2b、2cは、上記実施例１の載置部２と同じ支持体３、3a…及び角度調整材４、4aを有している。
【実施例３】
【００１８】
本発明に係る廻り隅瓦素地乾燥用パレットの実施例３は、図５に示す様に、台盤１の上面に１２組の載置部２、2a…を設置した１２枚用のものとし、台盤１は、矩形枠10上に、並設された３本の長い角管11、11a 、11b を３組並列して、これらの列間と角管11、11a 、11b 間に隙間７、7a…を有し、１組の角管11、11a 、11b に４組の載置部２、2a、2b、2cを設置し、各載置部２、2a、2b、2cは、上記実施例１の載置部２と同じ支持体３、3a…及び角度調整材４、4aを有している。
【００１９】
次に、本発明に係る廻り隅瓦素地乾燥用パレットの作用について説明する。
対象となる瓦素地Ｗに応じた角度調整材４、4aを各支持体３、3a…に取り付けて瓦素地Ｗを載置すれば、各支持体３、3a…の角度調整材４、4aが瓦素地Ｗの下面の上部から下部に至る範囲で接面して、瓦素地Ｗの撓みを防止し、且つ乾燥炉内において下方からの熱風が隙間７、7a…を通過して瓦素地Ｗの下面に当たって、上面側との乾燥度合いが同程度になるため、乾燥工程での歪みが生じ難い。
角度調整材４、4aは交換可能で、折曲角度の異なる瓦素地Ｗを載置する場合、既設の全ての角度調整材４、4aを外して、交換後の瓦素地Ｗに応じた角度調整材４、4aを新たに取り付ける（図３（ａ）〜図３（ｃ）参照）。
【符号の説明】
【００２０】
１        台盤
２、2a…  載置部
３、3a…  支持体
４、4a    角度調整材
８        受承部材
９、9a    側方部材
【図１】
2014125373.tif 000003
【図２】
2014125373.tif 000004
【図３（ａ）】
2014125373.tif 000005
【図３（ｂ）】
2014125373.tif 000006
【図３（ｃ）】
2014125373.tif 000007
【図４】
2014125373.tif 000008
【図５】
2014125373.tif 000009
【図６】
2014125373.tif 000010